(57)【要約】【課題】クレヨンや鉛筆等の棒状物に正確かつ綺麗に押印することができる押印補助具を提供する。【解決手段】押印補助具１０は、矩形状の平板からなるガイド体１１と、ガイド体１１に装着される一対の角柱状の挟持部材１４，１４とから構成されている。ガイド材１１の板面には、形状の異なる複数の窓孔１２，１３が所定の間隔で形成されており、各窓孔１２，１３の形状は、使用する印鑑とほぼ同形状とされている。一方、各挟持部材１４の一側面には、ガイド体１１の窓孔１３と嵌合する突起部１５が形成されており、各挟持部材１４の突起部１５をガイド体１１の窓孔１３にそれぞれ嵌入して、各挟持部材１４をガイド体１１に装着し、一対の挟持部材１４，１４間に、クレヨンや鉛筆等の棒状物を挿入して、窓孔１３，１３間に形成された別の窓孔１２から棒状物の表面に押印する。【選択図】図１
0003133230.tif 000002
【実用新案登録請求の範囲】
【請求項１】
板状とされ、印鑑が嵌入する窓孔が板面に複数形成されたガイド体と、
前記ガイド体に装着され、棒状物を挟持する一対の挟持部材とからなることを特徴とする押印補助具。
【請求項２】
前記一対の挟持部材が、前記ガイド体に沿ってスライドすることを特徴とする請求項１に記載の押印補助具。
【請求項３】
前記一対の挟持部材が、それぞれ矩形状の枠体とされ、当該枠内を前記ガイド体が摺動することを特徴とする請求項２に記載の押印補助具。
【請求項４】
少なくとも一方の長辺部に、複数の係合凹部が一定間隔で連続して形成されたスリットが前記ガイド体に設けられるとともに、
前記係合凹部に係合する係合凸部を備え、前記スリット内をスライドするスライド部が前記一対の挟持部材にそれぞれ設けられていることを特徴とする請求項２に記載の押印補助具。
【考案の詳細な説明】
【技術分野】
【０００１】
本考案は、所定の位置に正確に押印するための押印補助具に関する。
【背景技術】
【０００２】
洋数字や英文字等が刻印されたゴム印を所定の位置に押印（捺印）する際に、位置がずれたり配列が乱れて正確に押印できないことがよくある。このため、特許文献１では、ゴム印を複数収納すべく成した収納部分に、捺印の位置配列規制用の窓孔を穿設せしめた定規部分を偏角回動自在に取付けた捺印窓孔付ゴム印収納ケースの考案が開示されている。
【０００３】
また、シヤチハタ（登録商標）系スタンパ等には、印字の上位置を表示する凸部が形成されているが、押印する際、印字が左右に傾きやすく、この傾向は連続して押印する場合に顕著となる。このため、特許文献２では、スタンパが挿入される孔を有し、少なくとも平行に対向している一対の平面が外周に設けられるとともに、前記孔の上縁部に、印字の上位置を示す凸条が挿入される長孔が設けられているケース体と、前記ケース体が嵌入されて前記一対の平面が両側縁に摺接して平行移動可能なスリットが設けられたガイド体とから構成される押印補助具の考案が開示されている。
【特許文献１】実開平２−８５１６９号公報
【特許文献２】登録実用新案第３１２８８４２号公報
【考案の開示】
【考案が解決しようとする課題】
【０００４】
上記の各考案は、書面などに押印する場合、前述の問題点を解決して非常に有効であるが、クレヨンや鉛筆等の棒状物に押印する場合には、クレヨンや鉛筆等が動くため、所定の位置に正確に押印することができない。
【０００５】
本考案は、上述する問題点に鑑みてなされたもので、クレヨンや鉛筆等の棒状物に正確かつ綺麗に押印することができる押印補助具を提供することを目的とする。
【課題を解決するための手段】
【０００６】
上記目的を達成するため、本考案に係る押印補助具は、板状とされ、印鑑が嵌入する窓孔が板面に複数形成されたガイド体と、前記ガイド体に装着され、棒状物を挟持する一対の挟持部材とからなることを特徴としている。
ここで、上記印鑑は、実印や銀行印、認印等に使用される通常の印鑑のみならず、ゴム印やシヤチハタ（登録商標）等を含むものとする。
本考案では、ガイド体に装着した一対の挟持部材に、円形または多角形の断面を有するクレヨンや鉛筆等の棒状物を挟持させることで、棒状物が動かないようにしたうえで、ガイド体に形成された窓孔から棒状物に押印する。
【０００７】
また、本考案に係る押印補助具では、前記一対の挟持部材が前記ガイド体に沿ってスライドするようにしてもよい。
本考案では、一対の挟持部材がガイド体に沿ってスライドするので、様々な径を有する棒状物を固定して押印することができる。
【０００８】
スライド機構としては、前記一対の挟持部材をそれぞれ矩形状の枠体とし、当該枠内を前記ガイド体が摺動するようにしてもよいし、あるいは、少なくとも一方の長辺部に、複数の係合凹部が一定間隔で連続して形成されたスリットを前記ガイド体に設けるとともに、前記係合凹部に係合する係合凸部を備え、前記スリット内をスライドするスライド部を前記一対の挟持部材にそれぞれ設けるようにしてもよい。
【考案の効果】
【０００９】
本考案では、クレヨンや鉛筆等の棒状物を、ガイド体に装着した一対の挟持部材により挟持して固定するので、棒状物に正確かつ綺麗に押印することができる。またこの際、ガイド体に沿って挟持部材がスライドするようにすることで、様々な径を有する棒状物を固定して押印することができる。
【考案を実施するための最良の形態】
【００１０】
以下、本考案に係る押印補助具の実施形態について図面に基づいて説明する。
［第一の実施形態］
図１に、本考案に係る押印補助具の第一の実施形態の分解斜視図を示す。
本実施形態の押印補助具１０は、矩形状の平板からなるガイド体１１と、ガイド体１１に装着される一対の角柱状の挟持部材１４，１４とから構成されている。ガイド体１１および挟持部材１４の材質としては、透明なプラスチックを好適とするが、木材やステンレス材などでもよい。
【００１１】
ガイド体１１の板面には、形状の異なる複数の窓孔１２，１３が所定の間隔で形成されており、各窓孔１２，１３の形状は、使用する印鑑とほぼ同形状とされている。
【００１２】
一方、各挟持部材１４の一側面には、ガイド体１１の窓孔１３と嵌合する突起部１５が形成されている。
【００１３】
次に、本考案に係る押印補助具１０を用いて、クレヨンや鉛筆等の棒状物に押印する方法について説明する。
図２に示すように、各挟持部材１４の突起部１５をガイド体１１の窓孔１３にそれぞれ嵌入して、各挟持部材１４をガイド体１１に装着し、一対の挟持部材１４，１４の間に、クレヨンや鉛筆等の棒状物Ｃを挿入する。そして、窓孔１３，１３間に形成された別の窓孔１２に印鑑Ｓを挿入して、棒状物Ｃの表面に押印する。この際、棒状物Ｃの断面が円形の場合は、図２に示すように、印鑑Ｓを棒状物Ｃの円周方向に回動させると、棒状物Ｃの表面に綺麗に押印することができる。またこの際、印鑑Ｓを容易に回動させるため、窓孔１２の縁を面取りしておいてもよい。さらにまた、棒状物Ｃと接するガイド体１１の表面部に、棒状物Ｃと嵌合する凹部を形成してもよく、棒状物Ｃが凹部に嵌合することで、押印する際に棒状物Ｃが回転しないようにすることができる。
【００１４】
なお、書面などに押印する場合は、ガイド体１１のみを使用すればよく、書面上にガイド体１１を載置し、窓孔１２，１３に印鑑Ｓを挿入して所定の位置に押印すればよい。
【００１５】
本実施形態の押印補助具１０では、突起部１５を介してガイド体１１に装着した一対の挟持部材１４，１４により、クレヨンや鉛筆等の棒状物Ｃを挟持して固定するようにしているので、棒状物Ｃに正確かつ綺麗に押印することができる。
【００１６】
［第二の実施形態］
図３に、本考案に係る押印補助具の第二の実施形態の斜視図を示す。
本実施形態の押印補助具２０は、矩形状の平板からなり、複数の窓孔２２が形成されたガイド体２１と、ガイド体２１に装着され、ガイド体２１に沿ってスライドする一対の挟持部材２４，２４とから構成されている。
【００１７】
各挟持部材２４は矩形状の枠体からなり、枠の内側の形状はガイド体２１の短辺方向断面とほぼ同一とされ、枠内をガイド体２１が摺動する（図４参照）。
【００１８】
本実施形態の押印補助具２０では、枠体からなる一対の挟持部材２４，２４がガイド体２１の外周面上をスライドするので、様々な径を有する棒状物を固定して押印することができる。
［第三の実施形態］
図５に、本考案に係る押印補助具の第三の実施形態の斜視図を示す。
本実施形態の押印補助具も第一および第二の実施形態の押印補助具と同様、矩形状の平板からなり、複数の窓孔３２が形成されたガイド体３１と、一対の挟持部材３４，３４とから構成されるが、スライド機構が第二の実施形態と異なっている。
【００１９】
本実施形態のガイド体３１では、長辺方向の両サイドにそれぞれスリット３３が形成されており、各スリット３３の一方の長辺部には、複数の係合凹部３３ａ…が一定間隔で連続して形成されている（図６（ａ）参照）。
【００２０】
一方、角柱状とされた各挟持部材３４の一側面には、ガイド体３１に形成されたスリット３３内をスライドするスライド部３５が設けられている。スライド部３５は、片持ち梁からなり、その基端部３５ｂが挟持部材３４の一側面に固着され、先端部には前記係合凹部３３ａに係合する係合凸部３５ａが形成されている（図６（ｂ）参照）。
【００２１】
挟持部材３４のスライド部３５に形成された係合凸部３５ａは、静止状態において、ガイド体３１のスリット３３に形成された何れかの係合凹部３３ａと係合している。挟持部材３４をスリット３３に沿ってスライドさせると、スライド部３５の移動に伴い、係合凸部３５ａが、弓なりになりながら係合していた係合凹部３３ａから抜け出し、移動方向に形成されている別の係合凹部３３ａと係合する。
【００２２】
本実施形態の押印補助具３０では、挟持部材３４のスライド機構をステップスライド方式としているため、棒状物に押印する際に挟持部材３４が不用意に移動せず、挟持部材３４を手で保持しておく必要がないという利点がある。
【００２３】
以上、本考案に係る押印補助具の実施形態について説明したが、本考案は上記の実施形態に限定されるものではなく、その趣旨を逸脱しない範囲で適宜変更可能である。例えば、上記の実施形態では、窓孔の形状を矩形状としているが、印鑑の形に合わせて楕円形や円形としてもよいことは言うまでもない。また、上記の実施形態では、一対の挟持部材の双方を着脱自在またはスライド可能としているが、一方の挟持部材がガイド体に固定されていてもよい。要は、本考案において所期の機能が得られればよいのである。
【図面の簡単な説明】
【００２４】
【図１】本考案に係る押印補助具の第一の実施形態の分解斜視図である。
【図２】本考案に係る押印補助具の使用方法を説明するための図である。
【図３】本考案に係る押印補助具の第二の実施形態の斜視図である。
【図４】本考案に係る押印補助具を長辺方向から見た側面図である。
【図５】本考案に係る押印補助具の第三の実施形態の斜視図である。
【図６】（ａ）はガイド体の平面図、（ｂ）は挟持部材の平面図である。
【符号の説明】
【００２５】
１０，２０，３０  押印補助具
１１，２１，３１  ガイド体
１２，１３，２２，３２  窓孔
１４，２４，３４  挟持部材
１５  突起部
３３  スリット
３３ａ  係合凹部
３５  スライド部
３５ａ  係合凸部
３５ｂ  基端部
Ｃ  棒状物
Ｓ  印鑑
【図１】
0003133230.tif 000003
【図２】
0003133230.tif 000004
【図３】
0003133230.tif 000005
【図４】
0003133230.tif 000006
【図５】
0003133230.tif 000007
【図６】
0003133230.tif 000008